【事件の表示】
　特願２００３−２８５５１２「メータセレクタを有する測定装置」拒絶査定不服審判事件〔平成１７年　３月　３日出願公開、特開２００５−　５６０９７〕について、次のとおり審決する。
【結　論】
　本件審判の請求は、成り立たない。
【理　由】
１．手続の経緯
　本願は、平成１５年８月４日の出願であって、平成１８年５月８日付け（発送日：同年５月１６日）で拒絶査定がなされ、これに対し、同年６月１５日に拒絶査定不服審判が請求されるとともに、同年７月１８日付けで特許請求の範囲、明細書又は図面についての手続補正（以下、「本件補正」という。）がなされたものである。
　
２．本件補正についての補正却下の決定
［補正却下の決定の結論］
　本件補正を却下する。
［理由］
（１）補正の内容・補正の適否
　本件補正は、特許請求の範囲の請求項１を補正前の
「所定精度内で測定可能の測定範囲が異なり、かつ測定値をパルスとして出力する複数の測定器と、該複数の測定器からの測定出力をそれぞれ入力すると共に、これら測定出力のいずれかを、その測定出力の値に基づいて選択して出力するメータセレクタと、該メータセレクタの入力に挿入される少なくとも１つのスケーラと、を備え、前記複数の測定出力が、メータセレクタの選択に拘わらず同じパルス重みを有するように前記スケーラを調整するよう構成し、前記複数の測定器は、配管上に直列に設けられた大流量計と小流量計であり、該小流量計と並列に制御バルブを備えたバイパスラインを設け、前記メータセレクタは、大流量計の出力信号に基づいて該制御バルブを開閉すると共に、該制御バルブからの開閉状態検出信号を受けて、該メータセレクタの最終出力信号として大流量計又は小流量形のいずれかの出力信号を選択し出力するよう構成したことからなるメータセレクタを有する測定装置。」から、補正後の
「
測定値を、それに比例したパルス周波数或いは所定時間内のパルス数を有するパルス信号に変換して伝送する測定装置において、
、測定値をパルス信号として
　この補正は、
・請求項１に記載した発明を特定するために必要な事項である「測定装置」について「測定値を、それに比例したパルス周波数或いは所定時間内のパルス数を有するパルス信号に変換して伝送する測定装置において」と限定するものであり、かつ、
・請求項１に記載した発明を特定するために必要な事項である「メータセレクタの最終出力信号として・・・出力する」構成について「メータセレクタの最終出力信号として・・・測定値をパルス信号として出力する」と限定するものであって、いずれも平成１８年改正前特許法第１７条の２第４項２号の特許請求の範囲の減縮を目的とするものに該当する。
　
　そこで、本件補正後の前記請求項１に記載された発明が特許出願の際独立して特許を受けることができるものであるか否かについて以下に検討する。
　本件補正後の請求項１に記載された発明は以下のとおりである。
　ここで、「小流量形」とあるのは「小流量計」の明らかな誤記と認められるので、そのように訂正した上で認定した。
「測定値を、それに比例したパルス周波数或いは所定時間内のパルス数を有するパルス信号に変換して伝送する測定装置において、所定精度内で測定可能の測定範囲が異なり、かつ測定値をパルスとして出力する複数の測定器と、該複数の測定器からの測定出力をそれぞれ入力すると共に、これら測定出力のいずれかを、その測定出力の値に基づいて選択して出力するメータセレクタと、該メータセレクタの入力に挿入される少なくとも１つのスケーラと、を備え、前記複数の測定出力が、メータセレクタの選択に拘わらず同じパルス重みを有するように前記スケーラを調整するよう構成し、前記複数の測定器は、配管上に直列に設けられた大流量計と小流量計であり、該小流量計と並列に制御バルブを備えたバイパスラインを設け、前記メータセレクタは、大流量計の出力信号に基づいて該制御バルブを開閉すると共に、該制御バルブからの開閉状態検出信号を受けて、該メータセレクタの最終出力信号として大流量計又は小流量計のいずれかの出力信号を選択し、測定値をパルス信号として出力するよう構成したことからなるメータセレクタを有する測定装置。」（以下、「本願補正発明」という。）
  　
（２）引用例記載の事項・引用発明
　原査定の拒絶の理由に引用された、本願出願前に頒布された刊行物である特開昭５０−１４３５６９号公報（以下、「引用例」という。）は「流量計測装置」（発明の名称）に関し、図面とともに以下の記載がある。
（ａ）「第１図中、送液配管１の途中に大流量用分岐配管２と中流量用分岐配管３とが分岐して設けられており、更に中流量用分岐配管３ａに配管３ａと小流量用分岐配管４とが分岐して設けられている。大流量用分岐配管２には第１の開閉弁５が、配管３ａには第２の開閉弁６が夫々設けられている。開閉弁５、６は夫々三方切換弁７，８を介して空気配管９より空気圧を供給される。小流量用分岐配管４には小流量測定用流量計１０及びオーバフロー防止弁１１が設けられている。・・・更に送液配管１上分岐配管２，３の下流側に、大流量測定用流量計１４が設けられている。」（２頁右上欄１３行〜左下欄６行）
（ｂ）「尚、上記実施例においては３台の流量計を用いて構成していたが、これに限ることなく並列的に配設された一定の精度で計測しうる流量範囲の互いに異なる２台もしくは４台以上の複数の流量計を順次切り換えて用いる構成としてもよい。」（５頁右上欄４行〜８行）
（ｃ）「流量計１０，１２、１４からの計量パルス信号は夫々これを計数するに適した信号周波数に周波数逓減するための分周器１５，１６，１７に供給される。分周器１５，１６，１７の出力側は一方では夫々切換スイッチ１８を介して計数部１９に接続されている。
　分周器１５，１６，１７の出力は他方ではデジタル−アナログ変換器（Ｄ−Ａ変換器）２０，２１，２２に夫々供給される。」（２頁左下欄７行〜１５行）
（ｄ）「メータリレー２３は、Ｄ−Ａ変換器２０の出力アナログ信号が所定値に達した時、即ち分岐配管４を流れる流量が増大して流量計１０の上限流量値（本実施例では５５ｍ３/ｈ）に達した時、リレー回路２６に対し信号を発する。」（２頁左下欄１５行〜１９行）
（ｅ）「メータリレー２５は、Ｄ−Ａ変換器２２の出力アナログ信号が減少して所定値に達した時即ち配管１を流れる流量が減少して流量計１４の下限流量値（本実施例では５００ｍ３/ｈ）に達した時、リレー回路２６に対し信号を発する。」（２頁右下欄８行〜１２行）
（ｆ）「リレー回路２６は、メータリレー２３から上限信号を受けた時、直ちに切換スイッチ１８を切換えて分周器１６の出力を計数部１９に導き、又三方切換弁８に開閉弁６を開弁させる信号を送る。」（２頁右下欄１３行〜１６行）
（ｇ）「リレー回路２６は、メータリレー２５から下限信号を受けた時、直ちに三方切換弁７に開閉弁５を閉弁させる信号を送り、又これより所定時間（開閉弁５が閉弁するに要する時間より僅か大なる時間）遅延して分周器１６の出力を計数部１９に導く様に切換スイッチ１８を切換える」（３頁左上欄１行〜６行）
（ｈ）「この場合、流量計１０の計量結果は分周器１５、切換スイッチ１８を介して計数部１９に供給され、ここで計数演算され流量表示される。」（３頁左下欄５行〜８行）
（ｉ）「リレーＲ３の動作により、リレースイッチＲ３−１が開成し、三方切換弁７は開閉弁５を開弁させる様に切換わり、開閉弁５は開弁する。又リレーＲ４の動作により、リレースイッチＲ４−１の接片が接点ｂに切換わり、分周器１７の出力が端子３２，２９を介して計数部１９に供給される。」（４頁左上欄下から２行〜右上欄４行）
（ｊ）「又、タイマーＴ２、Ｔ１を用いることなく開閉弁５，６の弁軸の動作により開閉するリミットスイッチを用い、該開閉弁５，６の閉弁終了時点で初めて流量計１２又は１０と計数部１９を接続するよう切換スイッチ１８を切り換える構成とし、前述の誤計量を防止することも可能である。」（５頁右上欄９行〜１４行）
（ｋ）「メータリレー２４は、Ｄ−Ａ変換器２１の出力アナログ信号が増大して所定値に達した時即ち分岐配管３を流れる流量が増大して流量計１２の上限流量値（本実施例では５５０ｍ３/ｈ）に達した時、及びＤ−Ａ変換器２１の出力アナログ信号が減少して他の所定値に達した時即ち分岐配管３を流れる流量が減少して下限流量値（本実施例では５０ｍ３/ｈ）に達した時、夫々リレー回路２６に信号を発する。」（２頁左下欄末行〜右下欄８行）
（ｌ）「又開閉弁６の開弁により分岐配管３，４を流れる流体の流量は夫々変化するが、流量計１２は配管３，４を流れた流体が合流して流れる配管３中の流体流量を計量するものであり、又開閉弁６の開弁と同時に切換スイッチ１８が切換わって流量計１２の計量結果を計数するため、開閉弁６の開弁、流量計１０，１２の計量結果の切換時において、誤計量を行なうことはない。」（３頁右下欄１４行〜４頁左上欄２行）
　
　記載（ｂ）には、流量計が２台の場合についても本発明を適用し得ることが記載されているから、流量計が２台、すなわち、大流量測定用流量計１４及び小流量測定用流量計１０の場合についての構成を、流量計が３台の場合についての前記記載に倣って読み解くと、
・記載（ａ）、（ｂ）及び第１図より、
（イ）大流量測定用流量計１４と小流量測定用流量計１０とは送液配管１−小流量用分岐配管４−送液配管１と連なる配管上に直列に設けられていること、
（ロ）小流量測定用流量計１０と並列に開閉弁５を備えた大流量用分岐配管２を設けること、が読みとれるといえる。
・記載（ｃ）より、
（ハ）測定値を計量パルス信号に変換して伝送する流量計測装置が読みとれる。
・記載（ｃ）、（ｄ）、（ｆ）より、小流量測定用流量計１０からの計量パルス信号に基いて開閉弁６を開弁させることが読みとれるところ、このことを流量計が２台（大流量計と小流量計）の場合に当てはめると、開閉弁の制御対象は開閉弁５になるものであるから、
（ニ）小流量測定用流量計１０からの計量パルス信号に基づいて開閉弁５を開弁させることが読みとれるといえる。
・記載（ｃ）、（ｅ）、（ｇ）より
（ホ）大流量測定用流量計１４からの計量パルス信号に基いて開閉弁５を閉弁させることが読みとれる。
　複数の流量計が設けられている場合において、各流量計は所定の測定範囲を有し、いずれも所定の精度内のものであることは技術常識であることを考慮すると、
・記載（ｃ）〜（ｉ）より、
（ヘ）所定精度内で測定可能の測定範囲が異なり、測定値を計量パルス信号として出力する大流量測定用流量計１４及び小流量測定用流量計１０が読みとれるとともに、
（ト）大流量測定用流量計１４及び小流量測定用流量計１０からの出力信号をそれぞれ入力すると共に、これら出力信号のいずれかを、その出力信号とそれぞれの流量計の下限信号あるいは上限信号とを比較した結果に基づいて計数部１９に出力するＤ−Ａ変換器（２２、２０）、メータリレー（２５、２３）、リレー回路２６、切換スイッチ１８が読みとれるといえる。
　そこで、（ト）を考慮しながら（ニ）、（ホ）をまとめると、
（チ）Ｄ−Ａ変換器（２２、２０）、メータリレー（２５、２３）、リレー回路２６、切換スイッチ１８は、大流量測定用流量計１４の出力信号に基づいて開閉弁５を閉弁し、小流量測定用流量計１０の出力信号に基づいて開閉弁５を開弁することが読みとれることになる。
　また、記載（ｈ）より、計数部１９に供給される流量信号は流量表示に用いられることがいえ、さらに記載（ｊ）を考慮すると、
（リ）Ｄ−Ａ変換器（２２、２０）、メータリレー（２５、２３）、リレー回路２６、切換スイッチ１８は、開閉弁５の動作により開閉するリミットスイッチからの信号を受けて、流量表示用信号として大流量測定用流量計１４又は小流量測定用流量計１０のいずれかの出力信号を切換え、計量パルス信号として出力する構成が読みとれることになる。
　
　以上（イ）〜（ハ）、（ヘ）〜（リ）を総合勘案すると、引用例には次の発明が記載されているものと認められる。
「測定値を計量パルス信号に変換して伝送する流量計測装置において、所定精度内で測定可能の測定範囲が異なり、測定値を計量パルス信号として出力する大流量測定用流量計１４及び小流量測定用流量計１０と、該大流量測定用流量計１４及び小流量測定用流量計１０からの出力信号をそれぞれ入力すると共に、これら出力信号のいずれかを、その出力信号とそれぞれの流量計の下限信号あるいは上限信号とを比較した結果に基づいて計数部１９に出力するＤ−Ａ変換器２２、２０、メータリレー２５、２３、リレー回路２６、切換スイッチ１８と、を備え、大流量測定用流量計１４と小流量測定用流量計１０は送液配管１−小流量用分岐配管４−送液配管１と連なる配管上に直列に設けられており、該小流量測定用流量計１０と並列に開閉弁５を備えた大流量用分岐配管２を設け、前記Ｄ−Ａ変換器２２、２０、メータリレー２５、２３、リレー回路２６、切換スイッチ１８は、大流量測定用流量計１４の出力信号に基づいて開閉弁５を閉弁し、小流量測定用流量計１０の出力信号に基づいて開閉弁５を開弁すると共に、該開閉弁５の動作により開閉するリミットスイッチからの信号を受けて、流量表示用信号として大流量測定用流量計１４又は小流量測定量流量計１０のいずれかの出力信号を切換え、計量パルス信号として出力するよう構成したＤ−Ａ変換器２２、２０、メータリレー２５、２３、リレー回路２６、切換スイッチ１８を有する流量計測装置。」（以下、「引用発明」という。）
　
（３）対比
　そこで、本願補正発明と引用発明とを対比する。
　引用発明における
「計量パルス信号」、「流量計測装置」、「大流量測定用流量計１４」、「小流量測定用流量計１０」、「出力信号」、「その出力信号とそれぞれの流量計の下限信号あるいは上限信号とを比較した結果に基づいて計数部１９に出力する」、「Ｄ−Ａ変換器（２２、２０）、メータリレー（２５、２３）、リレー回路２６、切換スイッチ１８」、「大流量測定用流量計１４と小流量測定用流量計１０は送液配管１−小流量用分岐配管４−送液配管１と連なる配管上に直列に設けられており」、「開閉弁５」、「大流量用分岐配管２」、「開閉弁５の動作により開閉するリミットスイッチからの信号」、「流量表示用信号として」及び「計量パルス信号として出力する」は、
　本願補正発明における
「パルス信号」、「測定装置」、「大流量計」、「小流量計」、「測定出力」、「その測定出力の値に基づいて選択して出力する」、「メータセレクタ」、「複数の測定器は、配管上に直列に設けられた大流量計と小流量計であり」、「制御バルブ」、「バイパスライン」、「制御バルブからの開閉状態検出信号」、「メータセレクタの最終出力信号として」及び「測定値をパルス信号として出力する」にそれぞれ相当する。
　また、引用発明において、流量計から得られる計量パルス信号は、当然に当該測定値に比例した所定時間当たりのパルス数を有するものとなっているから、引用発明における「測定値を計量パルス信号に変換して伝送する」ことは、本願補正発明における「測定値を、それに比例したパルス周波数或いは所定時間内のパルス数を有するパルス信号に変換して伝送する」ことに相当するといえる。
　さらに、引用発明における「Ｄ−Ａ変換器（２２、２０）、メータリレー（２５、２３）、リレー回路２６、切換スイッチ１８は、大流量測定用流量計１４の出力信号に基づいて開閉弁５を閉弁し、小流量測定用流量計１０の出力信号に基づいて開閉弁５を開弁する」ことも、本願補正発明における「メータセレクタは、大流量計の出力信号に基づいて該制御バルブを開閉する」ことも、共に、「メータセレクタは、流量計の出力信号に基づいて制御バルブを開閉する」点で共通している。
　してみると、本願補正発明と引用発明とは、
「測定値を、それに比例したパルス周波数或いは所定時間内のパルス数を有するパルス信号に変換して伝送する測定装置において、所定精度内で測定可能の測定範囲が異なり、かつ測定値をパルスとして出力する複数の測定器と、該複数の測定器からの測定出力をそれぞれ入力すると共に、これら測定出力のいずれかを、その測定出力の値に基づいて選択して出力するメータセレクタと、を備え、前記複数の測定器は、配管上に直列に設けられた大流量計と小流量計であり、該小流量計と並列に制御バルブを備えたバイパスラインを設け、前記メータセレクタは、流量計の出力信号に基づいて該制御バルブを開閉すると共に、該制御バルブからの開閉状態検出信号を受けて、該メータセレクタの最終出力信号として大流量計又は小流量計のいずれかの出力信号を選択し、測定値をパルス信号として出力するよう構成したことからなるメータセレクタを有する測定装置。」
で一致し、以下の点で相違している。
・相違点１：「スケーラ」について、
　本願補正発明では、「メータセレクタの入力に挿入される少なくとも１つのスケーラ」を備えており、「複数の測定出力が、メータセレクタの選択に拘わらず」同じ流量入力信号を有するように「前記スケーラを調整するよう構成し」ているのに対し、引用発明では、スケーラを用いることについて明示的な記載は見あたらない点。
・相違点２：「パルス重み」を揃える点について、
　本願補正発明では、「複数の測定出力が、・・・同じパルス重みを有するように」前記スケーラを調整しているのに対し、引用発明では複数の測定出力におけるパルス重みに対する明示的な記載は見あたらない点。
・相違点３：制御バルブを開閉するための信号について、
　本願補正発明では、制御バルブの開弁、閉弁はいずれも大流量計の出力信号に基づいて行うのに対し、引用発明では、制御バルブの閉弁は大流量計の出力信号に基づいて行うものの、制御バルブの開弁は、小流量計の出力信号に基づいて行うようにしている点。
　
（４）判断
・相違点１について、
　この種の大小二つの流量計からの計測信号のいずれかを選択器で選択するようにした流量計測装置において、小流量計からの信号を所定数倍したものと大流量計からの信号との流量に対する二つの流量計の流量信号レベルを合致させる信号比率変換手段（「スケーラ」に相当）を選択器の入力側に挿入することは、例えば原審で示された特開昭５３−４５７０号公報（特に、２頁左上欄１５行〜右上欄下から４行）にも示されているように周知な技術事項である。
　そうすると、引用発明において、大小の流量計からの測定出力を選択するメータセレクタの入力にスケーラを挿入する構成とし、大小の流量計からの測定出力が、メータセレクタの選択に拘わらず同じ流量信号レベルを有するように、スケーラを調整する構成とすることは、上記周知技術に基いて当業者が容易に想到し得るところといえる。
・相違点２について、
　この種の大小二つの流量計を有する流量測定装置において、小流量計からの信号のパルス比を調整して、二つの流量計からの単位パルス当たりの流量値（すなわち「パルス重み」）が合致するように分周比を切り換えられる分周器（「スケーラ」に相当）を備えるようにすることは、例えば原審で示された実願昭５６−１０１４２３号（実開昭５８−８１２３号）のマイクロフィルム（特に、３頁１４行〜４頁２行参照）にも示されているように周知な技術事項である。
　そうしてみると、引用発明において、大小の流量計の測定出力が同じパルス重みを有するようにスケーラでパルス比を調整することは、上記周知技術に基づいて当業者が容易に想到し得るところといえる。
・相違点３について、
　制御バルブの開弁、閉弁の制御をいずれも大流量計の出力信号に基づいて行うようにした点について検討する。
　先に示した引用例の記載事項（ｄ）、（ｅ）、（ｋ）、（ｌ）から、引用発明において、
・小流量計は大流量計と計測範囲が重なる領域で流量を検出して制御バルブを制御する信号を得ることがいえ、その際、
・大流量計は小流量計での流量計測値と略同じ値を計測することになり、しかも、
・制御バルブの開閉は大流量計の計測には影響しない、
ことが理解できるから、制御バルブの開弁、閉弁をいずれも大流量計の出力信号に基づいて行うようにした場合（本願補正発明）と、制御バルブの閉弁は大流量計の出力信号に基づいて行い、開弁は小流量計の出力信号に基づいて行うようにした場合（引用発明）とでその作用効果において両者に格別の差異はないものといえる。
　したがって、計測範囲が重なる領域での制御バルブの開閉について、本願補正発明のように制御バルブの開弁を閉弁と同様に大流量計の出力信号に基づいて行うか、引用発明のように小流量計の出力信号に基づいて行うかは、当業者が実施の際に適宜為し得る選択的事項である。
　
　そして、本願補正発明の作用効果も、引用発明及び周知技術から当業者が予測できる範囲のものである。
　
（５）むすび
　以上のとおり、本件補正は、平成１８年改正前特許法第１７条の２第５項で準用する同法第１２６条第５項の規定に違反するものであり、特許法第１５９条第１項において読み替えて準用する特許法第５３条第１項の規定により却下されるべきものである。
　
３．本願発明について
　平成１８年７月１８日付けの手続補正は前記のとおり却下されたので、本願の請求項１に係る発明は、平成１８年２月３日付け手続補正書によって補正された特許請求の範囲の請求項１に記載された事項により特定される次のとおりのものと認められる。
「所定精度内で測定可能の測定範囲が異なり、かつ測定値をパルスとして出力する複数の測定器と、該複数の測定器からの測定出力をそれぞれ入力すると共に、これら測定出力のいずれかを、その測定出力の値に基づいて選択して出力するメータセレクタと、該メータセレクタの入力に挿入される少なくとも１つのスケーラと、を備え、前記複数の測定出力が、メータセレクタの選択に拘わらず同じパルス重みを有するように前記スケーラを調整するよう構成し、前記複数の測定器は、配管上に直列に設けられた大流量計と小流量計であり、該小流量計と並列に制御バルブを備えたバイパスラインを設け、前記メータセレクタは、大流量計の出力信号に基づいて該制御バルブを開閉すると共に、該制御バルブからの開閉状態検出信号を受けて、該メータセレクタの最終出力信号として大流量計又は小流量計のいずれかの出力信号を選択し出力するよう構成したことからなるメータセレクタを有する測定装置。」（以下、「本願発明」という。なお、「小流量形」は「小流量計」の明らかな誤記と認められるので、そのように訂正した上で上記のように認定した。）
　
（１）引用発明
　原査定の拒絶の理由に引用された発明は前記２．（２）引用発明、に記載したとおりである。
　
（２）対比・当審の判断
　本願発明は、前記２．で検討した本願補正発明から
・「測定値を、それに比例したパルス周波数或いは所定時間内のパルス数を有するパルス信号に変換して伝送する測定装置において」との発明特定事項を省いたものであり、かつ、
・「測定値をパルス信号として出力する」発明特定事項を省いたものである。
　そうすると、本願発明の発明特定事項をすべて含み、さらに他の発明特定事項を付加したものに相当する本願補正発明が、前記２．（４）に記載したとおり、引用発明及び周知技術に基づいて当業者が容易に発明をすることができたものであるから、本願発明も同様の理由により、引用発明及び周知技術に基づいて、当業者が容易に発明をすることができたものである。
　
（３）むすび
　以上のとおり、本願発明は、引用発明及び周知技術に基いて、当業者が容易に発明をすることができたものであるから、特許法第２９条第２項の規定により特許を受けることができない。
　したがって、本願は拒絶すべきものである。
　よって、結論のとおり審決する。